(57)【要約】【課題】コントラストを改善し、リセット期間を減らすようにしたＰＤＰの初期化制御方法及び装置を提供する。【解決手段】本発明に係るプラズマディスプレイパネルの初期化制御方法及び装置は、１フレーム期間を、入力映像の平均明るさによって初期化放電を起こすための初期化信号が省略可能であるか、前記初期化信号の電圧が調節可能である複数のサブフィールドに時分割し、前記入力映像の平均明るさが以前映像の平均明るさより低い時、前記初期化信号が省略されるサブフィールドの数を増加させるか、前記初期化信号の電圧が低いサブフィールドの数を増加させる。本発明に係るＰＤＰの初期化制御方法及び装置は、ＡＰＬが基準値より低い時及び／または高い時、上昇ランプ信号を省略するか、そのセットアップ電圧を低下させる。【選択図】図５
2005148746.tif 000002
【特許請求の範囲】
【請求項１】
１フレーム期間を、入力映像の平均明るさによって初期化放電を起こすための初期化信号が省略可能であるか、前記初期化信号の電圧が調節可能である複数のサブフィールドに時分割する段階と、
前記入力映像の平均明るさが以前映像の平均明るさより低い時、前記初期化信号が省略されるサブフィールドの数を増加させるか、前記初期化信号の電圧が低いサブフィールドの数を増加させる段階と、を含むことを特徴とするプラズマディスプレイパネルの初期化制御方法。
【請求項２】
１フレーム期間を、入力映像の平均明るさによって初期化放電を起こすための初期化信号が省略可能であるか、前記初期化信号の電圧が調節可能である複数のサブフィールドに時分割する段階と、
前記入力映像の平均明るさが所定の基準値であれば、前記サブフィールドのそれぞれで前記初期化信号として第１信号を用いてセルの初期化を行う段階と、
前記入力映像の平均明るさが前記基準値より低ければ、前記初期化信号が省略されるサブフィールドの数を増加させるか、前記初期化信号として前記第１信号の電圧より低い第２信号を用いるサブフィールドの数を増加させる段階と、
前記入力映像の平均明るさが前記基準値より高ければ、前記初期化信号が省略されるサブフィールドの数を増加させるか、前記初期化信号として前記第１信号の電圧より低い第２信号を用いるサブフィールドの数を増加させる段階と、を含むことを特徴とするプラズマディスプレイパネルの初期化制御方法。
【請求項３】
前記初期化信号は、電圧が徐々に上昇して弱放電で書き込み放電を起こすためのランプ信号であることを特徴とする請求項１または２記載のプラズマディスプレイパネルの初期化制御方法。
【請求項４】
入力映像の平均明るさによって初期化放電を起こすための初期化信号が省略可能であるか、前記初期化信号の電圧が調節可能である複数のサブフィールドに時分割駆動されるプラズマディスプレイパネルを初期化する初期化制御装置であって、
前記入力映像の平均明るさを算出するＡＰＬ算出部と、
前記ＡＰＬ算出部によって算出された前記入力映像の平均明るさが以前映像の平均明るさより低い時、前記初期化信号が省略されるサブフィールドの数を増加させるか、前記初期化信号の電圧が低いサブフィールドの数を増加させる初期化制御部と、を備えることを特徴とするプラズマディスプレイパネルの初期化制御装置。
【請求項５】
入力映像の平均明るさによって初期化放電を起こすための初期化信号が省略可能であるか、前記初期化信号の電圧が調節可能である複数のサブフィールドに時分割駆動されるプラズマディスプレイパネルを初期化する初期化制御装置であって、
前記入力映像の平均明るさを算出するＡＰＬ算出部と、
前記ＡＰＬ算出部によって算出された前記入力映像の平均明るさが所定の基準値であれば、前記サブフィールドのそれぞれで前記初期化信号として第１信号を前記プラズマディスプレイパネルに供給する第１初期化制御部と、
前記入力映像の平均明るさが前記基準値より低ければ、前記初期化信号が省略されるサブフィールドの数を増加させるか、前記初期化信号として前記第１信号の電圧より低い第２信号を用いるサブフィールドの数を増加させる第２初期化制御部と、
前記入力映像の平均明るさが前記基準値より高ければ、前記初期化信号が省略されるサブフィールドの数を増加させるか、前記初期化信号として前記第１信号の電圧より低い第２信号を用いるサブフィールドの数を増加させる第３初期化制御部と、を備えることを特徴とするプラズマディスプレイパネルの初期化制御装置。
【請求項６】
前記初期化信号は、電圧が徐々に上昇して弱放電で書き込み放電を起こすためのランプ信号であることを特徴とする請求項４または５記載のプラズマディスプレイパネルの初期化制御装置。
【請求項７】
前記初期化制御部は、
前記初期化信号を発生させる初期化信号発生部と、
前記ＡＰＬによって算出された平均明るさ信号に応答して前記初期化信号発生部を制御するための制御部と、を備えることを特徴とする請求項４または５記載のプラズマディスプレイパネルの初期化制御装置。
【請求項８】
（表１）
１フレーム期間を、入力映像の平均明るさによって初期化放電を起こすための初期化信号が省略可能である複数のサブフィールドに時分割する段階と、
前記入力映像の平均明るさが低下するほど、前記初期化信号を省略するサブフレーム数を増加する段階と、
を含むことを特徴とするプラズマディスプレイパネルの初期化制御方法。
【請求項９】
前記初期化信号を省略するサブフレーム数は、最上位ビット側から増加することを特徴とする、請求項８に記載のプラズマディスプレイパネルの初期化制御方法。
【請求項１０】
（表２）
１フレーム期間を、入力映像の平均明るさによって初期化放電を起こすための初期化信号が省略可能である複数のサブフィールドに時分割する段階と、
前記入力映像の平均明るさが所定の基準値範囲であれば１フレームの全サブフィールドで初期化信号を印加する段階と、
前記入力映像の平均明るさが所定の基準値範囲から低くなるほど、初期化信号を省略するサブフレーム数を増加させる段階と、
前記入力信号の平均の明るさが所定の基準値範囲から高くなるほど、初期化信号を省略するサブフレーム数を増加させる段階と、
を含むことを特徴とするプラズマディスプレイパネルの初期化制御方法。
【請求項１１】
前記入力映像の平均明るさが所定の基準値範囲から低くなるほど、初期化信号を省略するサブフレーム数を最上位ビット側から増加させ、前記入力映像の平均明るさが所定の基準値範囲から高くなるほど、初期化信号を省略するサブフレーム数を最下位ビット側から増加させることを特徴とする、請求項１０に記載のプラズマディスプレイパネルの初期化制御方法。
【請求項１２】
（表３）
１フレーム期間を、入力映像の平均明るさによって初期化放電を起こすための初期化信号の電圧が調節可能である複数のサブフィールドに時分割する段階と、
前記入力映像の平均明るさが低下するほど前記初期化信号を低下させる段階と、
を含むことを特徴とするプラズマディスプレイパネルの初期化制御方法。
【請求項１３】
１フレームの最初のサブフィールドで第１信号の初期化信号を印加する段階をさらに含み、
前記初期化信号を低下させる段階では、前記最初のサブフィールド以外のサブフィールドにおいて、前記第１信号の電圧よりも低い電圧の第２信号の初期化信号が印加され、前記入力映像の平均明るさが低下するほど前記第２信号が低下されることを特徴とする、請求項１２に記載のプズマディスプレイパネルの初期化制御方法。
【請求項１４】
（表４）
１フレーム期間を、入力映像の平均明るさによって初期化放電を起こすための初期化信号の電圧が調節可能である複数のサブフィールドに時分割する段階と、
前記入力映像の平均明るさが所定値より低下するほど前記初期化信号を低下させ、前記入力映像の平均明るさが所定値より増加するほど前記初期化信号を低下させる段階と、
を含むことを特徴とするプズマディスプレイパネルの初期化制御方法。
【請求項１５】
１フレームの最初のサブフィールドで第１信号の初期化信号を印加する段階をさらに含み、
前記初期化信号を低下させる段階では、前記最初のサブフィールド以外のサブフィールドにおいて、前記第１信号の電圧よりも低い電圧の第２信号の初期化信号が印加され、前記入力映像の平均明るさが所定値より低下するほど前記第２信号の電圧を低下させ前記入力映像の平均明るさが所定値より増加するほど前記第２信号の電圧を低下させることを特徴とする、請求項１４に記載のプラズマディスプレイパネルの初期化制御方法。
【請求項１６】
（表５、表６）
１フレーム期間を、入力映像の平均明るさによって初期化放電を起こすための初期化信号が省略可能であるか、前記初期化信号の電圧が調節可能である複数のサブフィールドに時分割する段階と、
前記入力信号の平均の明るさが低くなるほど、前記初期化信号を省略又は低下するサブフィールド数を増加させるか、或いは、前記初期化信号を低下させる段階と、
を含むことを特徴とするプラズマディスプレイパネルの初期化制御方法。
【請求項１７】
（表５）
前記初期化信号を省略又は低下するサブフィールド数を増加させるか、或いは、前記初期化信号を低下させる段階は、
前記入力映像の平均明るさが所定値未満である場合には、前記入力信号の平均の明るさが低下するほど、前記初期化信号を低下させ、前記入力映像の平均明るさが所定値以上である場合には、前記入力信号の平均の明るさが増加するほど、前記初期化信号を省略又は低下するサブフィールド数を減少させることを特徴とする、請求項１６に記載のプラズマディスプレイパネルの初期化制御方法。
【請求項１８】
（表６）
前記初期化信号を省略するサブフィールド数を増加させるか、又は、前記初期化信号を低下させる段階は、
前記入力映像の平均明るさが所定値未満である場合には、前記入力信号の平均の明るさが低下するほど、前記初期化信号を省略又は低下するサブフィールド数を増加させる段階と、
前記入力映像の平均明るさが所定値以上である場合には、前記入力信号の平均の明るさが増加するほど、前記初期化信号を高くする段階と、
を含むことを特徴とするプラズマディスプレイパネルの初期化制御方法。
【請求項１９】
１フレームの最初のフレームにおいて第１信号の初期化信号を印加する段階をさらに含み、
前記初期化信号を省略又は低下するサブフィールド数を増加させるか、或いは、前記初期化信号を低下させる段階は、前記最初のフレーム以外のフレームで実行され、前記第１信号の電圧よりも低い第２信号が初期化信号として印加されることを特徴とする、請求項１６乃至１８の何れかに記載のプラズマディスプレイパネルの初期化制御方法。
【請求項２０】
（表７）
１フレーム期間を、入力映像の平均明るさによって初期化放電を起こすための初期化信号が省略可能であるか、前記初期化信号の電圧が調節可能である複数のサブフィールドに時分割する段階と、
前記入力映像の平均明るさが前記第１所定値から前記第１所定値未満の第２所定値まで低くなるほど、前記初期化信号を省略又は低下するサブフィールド数を増加する段階と、
前記入力映像の平均明るさが前記第２所定値より低くなるほど、前記初期化信号を低下させる段階と、
前記入力映像の平均明るさが前記第１所定値から前記第１所定値より大きい第３所定値まで高くなるほど、前記初期化信号を省略又は低下するサブフィールド数を増加する段階と、
前記入力映像の平均明るさが前記第３所定値より高くなるほど、前記初期化信号を低下させる段階と、
を含むことを特徴とするプラズマディスプレイパネルの初期化制御方法。
【請求項２１】
前記入力映像の平均明るさが前記第１所定値から前記第１所定値未満の第２所定値まで低くなるほど、前記初期化信号を省略又は低下するサブフィールド数を増加する段階、及び、前記入力映像の平均明るさが前記第１所定値から前記第１所定値より大きい第３所定値まで高くなるほど、前記初期化信号を省略又は低下するサブフィールド数を増加する段階は、最上位ビット側から前記初期化信号を省略又は低下するサブフィールド数を増加することを特徴とする、請求項２０に記載のプラズマディスプレイパネルの初期化制御方法。
【請求項２２】
１フレームの最初のフレームにおいて第１信号の初期化信号を印加する段階をさらに含み、
前記各段階は、前記最初のフレーム以外のフレームで実行されることを特徴とする、請求項２０に記載のプラズマディスプレイパネルの初期化制御方法。
【発明の詳細な説明】
【技術分野】
【０００１】
本発明は、プラズマディスプレイパネルに係り、特に、プラズマディスプレイパネルの初期化を制御するための方法及び装置に関する。
【背景技術】
【０００２】
プラズマディスプレイパネル（Plasma  Display  Panel：以下、「ＰＤＰ」という）は、ガス放電によって発生する紫外線が蛍光体を励起させるときに蛍光体から発生する可視光線を用いて画像を表示する。かかるＰＤＰは、今まで表示手段の主軸を成してきた陰極線管（Cathode Ray Tube：ＣＲＴ）に比べて厚さが薄くて軽く、かつ高鮮明／大画面の具現が可能であるという長所がある。
【０００３】
図１は、従来のプラズマディスプレイパネルを概略的に示す平面図であり、図２は、図１に示したセルの構造を詳しく示す斜視図である。図１及び図２を参照すれば、３電極交流面放電型ＰＤＰは、上部基板１０上に形成されたスキャン電極Ｙ１〜Ｙｎおよびサステイン電極Ｚと、下部基板１８上に形成されたアドレス電極Ｘ１〜Ｘｍと、を備える。
【０００４】
このＰＤＰの放電セル１は、スキャン電極Ｙ１〜Ｙｎ、サステイン電極Ｚおよびアドレス電極Ｘ１〜Ｘｍの交差部に形成される。スキャン電極Ｙ１〜Ｙｎとサステイン電極Ｚのそれぞれは、透明電極１２と、透明電極１２の線幅より小さい線幅を有し、透明電極の一側端に形成される金属バス電極１１と、を含む。
【０００５】
透明電極１２は、通常インジウムスズ酸化物（Indium-Tin-Oxide：ＩＴＯ）で上部基板１０上に形成される。金属バス電極１１は、通常金属で透明電極１２上に形成され、高抵抗の透明電極１２による電圧降下を減らす役割を果たす。スキャン電極Ｙ１〜Ｙｎとサステイン電極Ｚが形成された上部基板１０には、上部誘電体層１３と保護膜１４が積層される。上部誘電体層１３上にはプラズマ放電時に発生した壁電荷が蓄積される。保護膜１４は、プラズマ放電時に発生したスパッタリングによる電極Ｙ１〜Ｙｎ、Ｚと上部誘電体層１３の損傷を防止すると共に２次電子の放出效率を高める。この保護膜１４としては通常酸化マグネシウムＭｇＯが利用される。
【０００６】
アドレス電極Ｘ１〜Ｘｍは、スキャン電極Ｙ１〜Ｙｎ及びサステイン電極Ｚと交差する方向に下部基板１８上に形成される。下部基板１８上には下部誘電体層１７と隔壁１５が形成される。下部誘電体層１７と隔壁１５の表面には蛍光体層１６が形成される。隔壁１５は、アドレス電極Ｘ１〜Ｘｍに並んで形成され、放電セルを物理的に区分し、隣接した放電セル１間の電気的、光学的干渉を遮断する。蛍光体層１６は、プラズマ放電時に発生した紫外線によって励起・発光して赤色、緑色または青色のいずれか一つの可視光線を発生させる。
【０００７】
上／下部基板１０、１８と隔壁１５との間に設けられた放電セル１の放電空間には、放電のためのＨｅ＋Ｘｅ、Ｎｅ＋Ｘｅ、Ｈｅ＋Ｎｅ＋Ｘｅなどの不活性混合ガスが注入される。
【０００８】
このようなＰＤＰは、画像の階調（Gray Level）を具現するために、一つのフレームを発光回数の異なる複数のサブフィールドに分けて時分割駆動している。各サブフィールドは、放電を一様に起こすためのリセット期間と、放電セルを選択するためのアドレス期間と、放電回数によって階調を具現するサステイン期間と、に分けられる。
【０００９】
図３は、１フレーム期間を複数のサブフィールドに時分割したサブフィールドパターンを示す図である。２５６階調で画像を表示しようとする場合、１／６０秒に該当するフレーム期間（１６.６７ｍｓ）は、図３のように８個のサブフィールドＳＦ１〜ＳＦ８に分けられる。また、８個のサブフィールドＳＦ１〜ＳＦ８のそれぞれは、リセット期間、アドレス期間及びサステイン期間にさらに分けられる。
【００１０】
ここで、各サブフィールドＳＦ１〜ＳＦ８のリセット期間及びアドレス期間は各サブフィールド毎に同一である反面、サステイン期間及びその放電回数はサステインパルスの数に比例して各サブフィールドＳＦ１〜ＳＦ８において２ｎ（但し、ｎ＝０,１,２,３,４,５,６,７）の割合で増加する。このように各サブフィールドＳＦ１〜ＳＦ８におけるサステイン期間が変わることにより、画像の階調を具現できるようになる。
【００１１】
図４は、図１のようなプラズマディスプレイパネルを駆動するための従来の駆動信号を示す波形図であり、各サブフィールドＳＦ１〜ＳＦ８でＰＤＰの電極に供給される駆動信号を示す。
【００１２】
図４を参照すれば、リセット期間の初期にはすべてのスキャン電極Ｙに上昇ランプ信号Ｒａｍｐ−ｕｐが同時に供給される。これと同時に、サステイン電極Ｚとアドレス電極Ｘには０［Ｖ］が供給される。上昇ランプ信号Ｒａｍｐ−ｕｐによって全画面のセル内において、スキャン電極Ｙとアドレス電極Ｘとの間と、スキャン電極Ｙとサステイン電極Ｚとの間とには、弱放電で書き込み放電が起こる。この書き込み放電によってアドレス電極Ｘおよびサステイン電極Ｚ上には正極性（＋）の壁電荷が蓄積され、スキャン電極Ｙ上には負極性（−）の壁電荷が蓄積される。
【００１３】
このような上昇ランプ信号Ｒａｍｐ−ｕｐが供給された後、その上昇ランプ信号Ｒａｍｐ−ｕｐのピーク電圧より低いサステイン電圧Ｖsから落ち始めて負極性のスキャンバイアス電圧-Ｖyまで落ちる降下ランプ信号Ｒａｍｐ−ｄｎが、スキャン電極Ｙに同時に供給される。これと同時に、サステイン電極Ｚにはサステイン電圧Ｖsのバイアス電圧Ｖｚ−ｂｉａｓが供給され、アドレス電極Ｘには０［Ｖ］が供給される。このように降下ランプ信号Ｒａｍｐ−ｄｎが供給されるとき、スキャン電極Ｙとサステイン電極Ｚとの間と、スキャン電極Ｙとアドレス電極Ｚとの間とに、弱放電で消去放電が起こる。このような消去放電により、書き込み放電によって形成された壁電荷の中から、アドレス放電に不要な過剰壁電荷が消去される。
【００１４】
アドレス期間では、負極性スキャンパルスｓｃａｎがスキャン電極Ｙに順次供給されると同時に、スキャンパルスｓｃａｎに同期される正極性のデータパルスｄａｔａがアドレス電極Ｘに供給される。スキャンパルスｓｃａｎとデータパルスｄａｔａとの電圧差とリセット期間に生成された壁電圧とが加えられることにより、データパルスｄａｔａが供給されるセル内ではアドレス放電が発生する。アドレス放電によって選択されたセル内には、サステイン電圧Ｖsが供給されるときに放電が起こりうるようにする程度の壁電荷が形成される。このアドレス期間中にサステイン電極Ｚには正極性直流電圧Ｚｄｃが供給される。
【００１５】
サステイン期間では、スキャン電極Ｙとサステイン電極Ｚに交互にサステインパルスｓｕｓが供給される。そうすると、アドレス放電によって選択された放電セル１は放電セル１内の壁電圧とサステインパルスｓｕｓとが加えられることにより、各サステインパルスｓｕｓ１〜ｓｕｓ６が供給される度にスキャン電極Ｙとサステイン電極Ｚとの間でサステイン放電、すなわち表示放電が発生する。サステインパルスｓｕｓ１〜ｓｕｓ６の個数は、各サブフィールドＳＦ１〜ＳＦ８に付与された輝度加重値によってサブフィールド毎に異なるように設定される。
【００１６】
サステイン放電が終了した後には、図示しない消去ランプ信号がスキャン電極Ｙやサステイン電極Ｚに供給される。消去ランプ信号はセル内で弱放電で消去放電を起こすことにより、サステイン放電によって生成された壁電荷を消去させる。
【００１７】
ところが、従来のＰＤＰは、非表示期間に発生する光のためにコントラスト比（contrast ratio）が低いという短所がある。例えば、各サブフィールド毎に割り当てられるリセット期間中に全放電セル１内で数回発生する放電、特に上昇ランプ信号Ｒａｍｐ−ｕｐによって発生する書き込み放電またはセットアップ放電に伴って光が発生し、その光によってブラック輝度が高くなる。
【００１８】
また、従来のＰＤＰは、リセット期間が各サブフィールド毎に割り当てられるので、リセット期間の分だけのアドレス期間やサステイン期間が限定されるという問題点がある。例えば、各サブフィールド毎に割り当てられるリセット期間が原因で発生する擬似輪郭ノイズ（Contour noise）などの画質不良要因を減らすために、サブフィールドの追加や輝度の増加を必要とするが、このためのサステインパルスの追加が困難である。
【発明の開示】
【発明が解決しようとする課題】
【００１９】
本発明は、かかる従来の問題点を解決するためのもので、その目的は、コントラストを改善し、リセット期間を減らすようにしたＰＤＰの初期化制御方法及び装置を提供する。
【課題を解決するための手段】
【００２０】
本発明の実施形態に係るＰＤＰの初期化制御方法は、１フレーム期間を、入力映像の平均明るさによって初期化放電を起こすための初期化信号が省略可能であるか、前記初期化信号の電圧が調節可能である複数のサブフィールドに時分割する段階と、前記入力映像の平均明るさが以前映像の平均明るさより低い時、前記初期化信号が省略されるサブフィールドの数を増加させるか、前記初期化信号の電圧が低いサブフィールドの数を増加させる段階と、を含む。
【００２１】
本発明の他の実施形態に係るＰＤＰの初期化制御方法は、１フレーム期間を、入力映像の平均明るさによって初期化放電を起こすための初期化信号が省略可能であるか、前記初期化信号の電圧が調節可能である複数のサブフィールドに時分割する段階と、前記入力映像の平均明るさが所定の基準値であれば、前記サブフィールドのそれぞれで前記初期化信号を用いてセルの初期化を行う段階と、前記入力映像の平均明るさが前記基準値より低ければ、前記初期化信号が省略されるサブフィールドの数を増加させるか、前記初期化信号の電圧が低いサブフィールドの数を増加させる段階と、前記入力映像の平均明るさが前記基準値より高ければ、前記初期化信号が省略されるサブフィールドの数を増加させるか、前記初期化信号の電圧が低いサブフィールドの数を増加させる段階と、を含む。
【００２２】
前記初期化信号は、電圧が徐々に上昇して弱放電で書き込み放電を起こすためのランプ信号であることを特徴とする。
【００２３】
本発明の実施形態に係るＰＤＰの初期化制御装置は、入力映像の平均明るさによって初期化放電を起こすための初期化信号が省略可能であるか、前記初期化信号の電圧が調節可能である複数のサブフィールドに時分割駆動されるＰＤＰと、前記入力映像の平均明るさを算出するＡＰＬ算出部と、前記ＡＰＬ算出部によって算出された前記入力映像の平均明るさが以前映像の平均明るさより低い時、前記初期化信号が省略されるサブフィールドの数を増加させるか、前記初期化信号の電圧が低いサブフィールドの数を増加させる初期化制御部と、を備える。
【００２４】
本発明の他の実施形態に係るＰＤＰの初期化制御装置は、入力映像の平均明るさによって初期化放電を起こすための初期化信号が省略可能であるか、前記初期化信号の電圧が調節可能である複数のサブフィールドに時分割駆動されるＰＤＰと、前記入力映像の平均明るさを算出するＡＰＬ算出部と、前記ＡＰＬ算出部によって算出された前記入力映像の平均明るさが所定の基準値であれば、前記サブフィールドのそれぞれで前記初期化信号を前記ＰＤＰに供給する第１初期化制御部と、前記入力映像の平均明るさが前記基準値より低ければ、前記初期化信号が省略されるサブフィールドの数を増加させるか、前記初期化信号の電圧が低いサブフィールドの数を増加させる第２初期化制御部と、前記入力映像の平均明るさが前記基準値より高ければ、前記初期化信号が省略されるサブフィールドの数を増加させるか、前記初期化信号の電圧が低いサブフィールドの数を増加させる第３初期化制御部と、を備える。
【００２５】
前記初期化信号は、電圧が徐々に上昇して弱放電で書き込み放電を起こすためのランプ信号である。
【００２６】
前記初期化制御部は、前記初期化信号を発生させる初期化信号発生部と、前記ＡＰＬによって算出された平均明るさ信号に応答して前記初期化信号発生部を制御するための制御部と、を備える。
【発明の効果】
【００２７】
本発明に係るＰＤＰの初期化制御方法及び装置は、ＡＰＬが基準値より低い時及び／または高い時、上昇ランプ信号を省略するか、そのセットアップ電圧を低下させる。その結果、本発明は、初期化放電数を減らすか初期化放電を弱くして、放電時に伴う光放出量を減らすことにより、ブラック輝度を低めてコントラスト比を向上させ且つリセット期間を減らすことができる。
【発明を実施するための最良の形態】
【００２８】
以下、本発明の実施形態を添付図を参照して詳しく説明する。
【００２９】
（１）第１実施形態
図５は、本発明の第１実施形態に係るプラズマディスプレイパネルの初期化制御方法の制御手順を段階的に示す流れ図である。
【００３０】
本発明の第１実施形態に係るＰＤＰの初期化制御方法は、１画面の平均輝度レベル（Average Picture Level：以下、「ＡＰＬ」という）を算出し、そのＡＰＬが低いほど高い加重値のサブフィールドにおいて上昇ランプ信号Ｒａｍｐ−ｕｐをより多く省略する。
【００３１】
次の表１と図５は、サブフィールド８個で最大１０２４階調まで表現できるサブフィールドパターンを仮定し、本発明の第１実施形態に係るＰＤＰの初期化制御方法において上昇ランプ信号Ｒａｍｐ−ｕｐの省略可否を示す。
【００３２】
【表１】
2005148746.tif 000003
【００３３】
表１において、かっこの中の数字は各サブフィールドに付与される輝度加重値であり‘ｋ’はＡＰＬによって輝度加重値を最大４倍に乗算させる値である。例えば、ＡＰＬが低いほど第８サブフィールドＳＦ８の加重値‘１２８'は‘２５６'、‘３８４'、‘５１２'に調整される。
【００３４】
ＡＰＬは最大１０２４の階調に対応して０〜１０２３まで総１０２４段階に細分化され、総１０２４段階のＡＰＬは表１のようにさらに８個のＡＰＬ群に分けられる。第１ＡＰＬ群ＡＰＬ１は最も低い範囲のＡＰＬであって０〜１００段階のＡＰＬを含み、第２ＡＰＬ群ＡＰＬ２は１０１〜２００段階のＡＰＬを含む。第３ＡＰＬ群ＡＰＬ３は２０１〜３００段階のＡＰＬ、第４ＡＰＬ群ＡＰＬ４は３０１〜４００段階のＡＰＬ、第５ＡＰＬ群ＡＰＬ５は４０１〜５００段階のＡＰＬ、第６ＡＰＬ群ＡＰＬ６は５０１〜６００段階のＡＰＬ、第７ＡＰＬ群ＡＰＬ７は６０１〜７００段階のＡＰＬをそれぞれ含む。また、第８ＡＰＬ群ＡＰＬ８は最も高い範囲のＡＰＬであって７０１〜１０２３段階のＡＰＬを含む。
【００３５】
表１及び図５に示すように、ＡＰＬが第１ＡＰＬ群ＡＰＬ１に算出されると、輝度加重値が最も低い第１サブフィールドＳＦ１にのみ上昇ランプ信号Ｒａｍｐ−ｕｐが割り当てられ、その以外のサブフィールドＳＦ２〜ＳＦ８には上昇ランプ信号Ｒａｍｐ−ｕｐが割り当てられない。
【００３６】
また、ＡＰＬが１０１〜２００間の値、すなわち第２ＡＰＬ群ＡＰＬ２に算出されると、第１及び第２サブフィールドＳＦ１、ＳＦ２にのみ上昇ランプ信号Ｒａｍｐ−ｕｐが印加される。
【００３７】
画面が明るくなるとともにＡＰＬが６０１〜７００間の値、すなわち第７ＡＰＬ群ＡＰＬ７に算出されると、第８サブフィールドＳＦ８を除いた第１〜第７サブフィールドＳＦ１〜ＳＦ７に上昇ランプ信号Ｒａｍｐ−ｕｐが印加され、画面がピークホワイトに近づく明るさにさらに明るくなるとともにＡＰＬが７０１〜１０２３間の値、すなわち第８ＡＰＬ群ＡＰＬ８に算出されると、すべてのサブフィールドＳＦ１〜ＳＦ８に上昇ランプ信号Ｒａｍｐ−ｕｐが印加される。
【００３８】
ＡＰＬ値が低ければ、すなわち画面が比較的暗い場合にはデータが最下位ビット（Least Significant Bits：ＬＳＢ）に対応する低輝度加重値のサブフィールド、例えば第１〜第３サブフィールドＳＦ１〜ＳＦ３に主に存在する一方、最上位ビット（Most Significant Bits：ＭＳＢ）に対応する高輝度加重値のサブフィールドにはほとんど存在しない。
【００３９】
よって、本発明の第１実施形態に係るＰＤＰの初期化制御方法は、暗い画面でデータが存在するサブフィールドの初期化を安定化させる一方、データのない、すなわち点灯するセルがほとんどない高輝度加重値のサブフィールドでリセット期間を減らすか省略することにより、暗い画面でブラック輝度を低めてコントラスト比を高める。また、本発明の第１実施形態に係るＰＤＰの初期化制御方法は、明るい画面でリセット期間が含まれるサブフィールドの個数を増加させ、データが存在可能なほぼすべてのサブフィールドの初期化を安定化させることで、各サブフィールド毎の駆動マージンを充分に確保することができる。
【００４０】
一方、降下ランプ信号Ｒａｍｐ−ｄｎは各サブフィールド毎に割り当てることもでき、ＡＰＬによって上昇ランプ信号Ｒａｍｐ−ｕｐと同様に省略することもできる。
【００４１】
本発明の第２実施形態に係るＰＤＰの初期化制御方法は、１画面のＡＰＬを算出し、そのＡＰＬが低いほど高い加重値のサブフィールドにおいて上昇ランプ信号Ｒａｍｐ−ｕｐをより多く省略するとともに、ＡＰＬが高いほど低い加重値のサブフィールドにおいて上昇ランプ信号Ｒａｍｐ−ｕｐをより多く省略する。
【００４２】
（２）第２実施形態
図６は、本発明の第２実施形態に係るプラズマディスプレイパネルの初期化制御方法の制御手順を段階的に示す流れ図である。次の表２と図６は、サブフィールド８個で最大１０２４階調まで表現できるサブフィールドパターンを仮定し、本発明の第２実施形態に係るＰＤＰの初期化制御方法において上昇ランプ信号Ｒａｍｐ−ｕｐの省略可否を示す。
【００４３】
【表２】
2005148746.tif 000004
【００４４】
表２及び図６に示すように、ＡＰＬが第１ＡＰＬ群ＡＰＬ１に算出されると、輝度加重値が最も低い第１及び第２サブフィールドＳＦ１、ＳＦ２にのみ上昇ランプ信号Ｒａｍｐ−ｕｐが割り当てられ、その以外のサブフィールドＳＦ３〜ＳＦ８には上昇ランプ信号Ｒａｍｐ−ｕｐが割り当てられない。また、ＡＰＬが１０１〜２００間の値、すなわち第２ＡＰＬ群ＡＰＬ２に算出されると、第１〜第４サブフィールドＳＦ１〜ＳＦ４に上昇ランプ信号Ｒａｍｐ−ｕｐが印加され、ＡＰＬが第３ＡＰＬ群ＡＰＬ３に算出されると、第１〜第６サブフィールドＳＦ１〜ＳＦ６に上昇ランプ信号Ｒａｍｐ−ｕｐが印加される。
【００４５】
画面が中間の明るさになるとともにＡＰＬが第４及び第５ＡＰＬ群ＡＰＬ４、ＡＰＬ５中に算出されると、上昇ランプ信号Ｒａｍｐ−ｕｐはすべてのサブフィールドＳＦ１〜ＳＦ８に印加される。
【００４６】
画面がさらに明るくなるとともにＡＰＬが第６ＡＰＬ群ＡＰＬ６に算出されると、第３〜第８サブフィールドＳＦ３〜ＳＦ８に上昇ランプ信号Ｒａｍｐ−ｕｐが印加され、第７ＡＰＬ群ＡＰＬ７に算出されると、第５〜第８サブフィールドＳＦ５〜ＳＦ８に上昇ランプ信号Ｒａｍｐ−ｕｐが印加される。画面がピークホワイトに近づきさらに明るくなるとともにＡＰＬが第８ＡＰＬ群ＡＰＬ８に算出されると、第７及び第８サブフィールドＳＦ７、ＳＦ８にのみ上昇ランプ信号Ｒａｍｐ−ｕｐが印加される。
【００４７】
ＡＰＬ値が低ければ、すなわち画面が比較的暗い場合には最下位ビット（Least Significant Bits：ＬＳＢ）側に対応する低輝度加重値のサブフィールド、例えば第１〜第３サブフィールドＳＦ１〜ＳＦ３にデータが主に存在する一方、最上位ビット（Most Significant Bits：ＭＳＢ）側に対応する高輝度加重値のサブフィールドにデータがほとんど存在しない。そして、放電回数が多いほど放電セル内に荷電粒子が多くなり、安定化したプライミング效果が強まり、放電セルの放電特性が安定化される。
【００４８】
よって、本発明の第２実施形態に係るＰＤＰの初期化制御方法は、暗い画面でデータが存在するサブフィールドの初期化を安定化させる一方、データがない、すなわち点灯するセルがほとんどない高輝度加重値のサブフィールドでリセット期間を省略することにより、暗い画面でブラック輝度を低めてコントラスト比を高める。
【００４９】
本発明の第２実施形態に係るＰＤＰの初期化制御方法は、放電回数が多くなるため、比較的各サブフィールドで駆動マージンが高くなる明るい画面において、明るさが明るくなるほど上昇ランプ信号Ｒａｍｐ−ｕｐが省略されるサブフィールドの個数を増加させる。明るい画面で上昇ランプ信号Ｒａｍｐ−ｕｐが省略されるサブフィールドは、明るい画面で最上位ビットＭＳＢ側にデータの存在する確率が高いため、最下位ビットＭＳＢに側に対応する低輝度加重値のサブフィールドでリセット期間が省略される。
【００５０】
図７は、本発明の第１及び第２実施形態に係るＰＤＰの初期化制御方法において上昇ランプ信号Ｒａｍｐ−ｕｐが省略されるサブフィールドの駆動信号を示す。図７に示すように、本発明の第１及び第２実施形態に係るＰＤＰの初期化制御方法は、確率的にデータがほとんどないサブフィールドで上昇ランプ信号Ｒａｍｐ−ｕｐが省略されるので、その分リセット期間が短くなり、リセット期間で書き込み放電が発生しないので、ブラック輝度が低くなる。
【００５１】
（３）第３実施形態
本発明の第３実施形態に係るＰＤＰの初期化制御方法は、ＡＰＬが低いほど、第１サブフィールドＳＦ１を除いた残りのサブフィールドＳＦ２〜ＳＦ８で上昇ランプ信号Ｒａｍｐ−ｕｐのセットアップ電圧Ｖｓｅｔｕｐを低下させる。
【００５２】
図８は、本発明の第３実施形態に係るプラズマディスプレイパネルの初期化制御方法の制御手順を段階的に示す流れ図である。次の表３と図８は、サブフィールド８個で最大１０２４階調まで表現できるサブフィールドパターンを仮定し、本発明の第３実施形態に係るＰＤＰの初期化制御方法において上昇ランプ信号Ｒａｍｐ−ｕｐのセットアップ電圧Ｖｓｅｔｕｐを示す。
【００５３】
【表３】
2005148746.tif 000005
【００５４】
第１サブフィールドＳＦ１はフレームがスタートするサブフィールドであって初期化を最も安定化させる必要がある。このために第１サブフィールドＳＦ１では、ＡＰＬにかかわらず１８０Ｖ〜２４０Ｖ間の電圧、好ましくは２１０Ｖセットアップ電圧の上昇ランプ信号Ｒａｍｐ−ｕｐで初期化のための書き込み放電を発生させる。この第１サブフィールドＳＦ１を除いた他のサブフィールドＳＦ２〜ＳＦ８では、ＡＰＬによって上昇ランプ信号Ｒａｍｐ−ｕｐのセットアップ電圧Ｖｓｅｔｕｐが変わる。ＡＰＬが低い時、すなわち暗い画面でブラック輝度が低くなるほどＡＰＬが低い値に算出され、第２〜第８サブフィールドＳＦ２〜ＳＦ８におけるセットアップ電圧Ｖｓｅｔｕｐは低くなる。
【００５５】
表３と図８に示すように、ＡＰＬが第１ＡＰＬ群ＡＰＬ１に算出されると、第２〜第８サブフィールドＳＦ２〜ＳＦ８におけるセットアップ電圧Ｖｓｅｔｕｐは、１００Ｖというふうに最も低く設定される。ＡＰＬが第２ＡＰＬ群ＡＰＬ２に算出されると、第２〜第８サブフィールドＳＦ２〜ＳＦ８におけるセットアップ電圧Ｖｓｅｔｕｐは１１０Ｖに設定される。
【００５６】
このようにＡＰＬが高いほどセットアップ電圧Ｖｓｅｔｕｐは高く設定され、画面が明るくなるとともにＡＰＬが第７ＡＰＬ群ＡＰＬ７に算出されると、第２〜第８サブフィールドＳＦ２〜ＳＦ８におけるセットアップ電圧Ｖｓｅｔｕｐは１６０Ｖに設定され、第８ＡＰＬ群ＡＰＬ８に算出されると、第２〜第８サブフィールドＳＦ２〜ＳＦ８におけるセットアップ電圧Ｖｓｅｔｕｐは１７０Ｖに設定される。
【００５７】
（４）第４実施形態
本発明の第４実施形態に係るＰＤＰの初期化制御方法は、ＡＰＬが低いほど又はＡＰＬが高いほど、第１サブフィールドＳＦ１を除いた残りのサブフィールドＳＦ２〜ＳＦ８における上昇ランプ信号Ｒａｍｐ−ｕｐのセットアップ電圧Ｖｓｅｔｕｐが低くなる。
【００５８】
図９は、本発明の第４実施形態に係るプラズマディスプレイパネルの初期化制御方法の制御手順を段階的に示す流れ図である。次の表４と図９は、サブフィールド８個で最大１０２４階調まで表現できるサブフィールドパターンを仮定し、本発明の第４実施形態に係るＰＤＰの初期化制御方法において上昇ランプ信号Ｒａｍｐ−ｕｐのセットアップ電圧Ｖｓｅｔｕｐを示す。
【００５９】
【表４】
2005148746.tif 000006
【００６０】
第１サブフィールドＳＦ１はフレームがスタートするサブフィールドであって初期化を最も安定化させる必要がある。このために第１サブフィールドＳＦ１では、ＡＰＬにかかわらず１８０Ｖ〜２４０Ｖ間の電圧、好ましくは２１０Ｖセットアップ電圧の上昇ランプ信号Ｒａｍｐ−ｕｐで初期化のための書き込み放電を発生させる。この第１サブフィールドＳＦ１を除いた他のサブフィールドＳＦ２〜ＳＦ８では、ＡＰＬによって上昇ランプ信号Ｒａｍｐ−ｕｐのセットアップ電圧Ｖｓｅｔｕｐが変わる。
【００６１】
ＡＰＬが低い時、すなわち暗い画面でブラック輝度の低くなるほどＡＰＬが低い値に算出され、第２〜第８サブフィールドＳＦ２〜ＳＦ８におけるセットアップ電圧Ｖｓｅｔｕｐは低くなる。ＡＰＬが高い時、すなわち明るい画面では放電回数が多いためプライミング效果が強い。このために、明るい画面ではセットアップ電圧Ｖｓｅｔｕｐが低い場合にも初期化のための書き込み放電を全放電セルで安定して起こすことができるので、ＡＰＬが高い値に算出されると、第２〜第８サブフィールドＳＦ２〜ＳＦ８におけるセットアップ電圧Ｖｓｅｔｕｐは低くなる。
【００６２】
表４と図９に示すように、ＡＰＬが第１ＡＰＬ群ＡＰＬ１に算出されると、第２〜第８サブフィールドＳＦ２〜ＳＦ８におけるセットアップ電圧Ｖｓｅｔｕｐは、１００Ｖに最も低く設定される。ＡＰＬが第２ＡＰＬ群ＡＰＬ２に算出されると、第２〜第８サブフィールドＳＦ２〜ＳＦ８におけるセットアップ電圧Ｖｓｅｔｕｐは１１０Ｖに設定される。このようにＡＰＬが高いほどセットアップ電圧Ｖｓｅｔｕｐは高く設定されるが、画面が明るくなるとともにＡＰＬが第６ＡＰＬ群ＡＰＬ６に算出されると、第２〜第８サブフィールドＳＦ２〜ＳＦ８におけるセットアップ電圧Ｖｓｅｔｕｐは１３０Ｖとまた低く設定される。また、さらに画面が明るくなるとどセットアップ電圧Ｖｓｅｔｕｐは徐々に低く設定される。すなわち、ＡＰＬが第７ＡＰＬ群ＡＰＬ７に算出されると、第２〜第８サブフィールドＳＦ２〜ＳＦ８におけるセットアップ電圧Ｖｓｅｔｕｐは１２０Ｖに設定され、第８ＡＰＬ群ＡＰＬ８に算出されると、第２〜第８サブフィールドＳＦ２〜ＳＦ８におけるセットアップ電圧Ｖｓｅｔｕｐは１１０Ｖに設定される。
【００６３】
図１０は、本発明の第３及び第４実施形態に係るプラズマディスプレイパネルの初期化制御方法において上昇ランプ波形Ｒａｍｐ−ｕｐのセットアップ電圧Ｖｓｅｔｕｐが平均明るさによって変わることを示す波形図である。図１０は、本発明の第３及び第４実施形態に係るＰＤＰの初期化制御方法において上昇ランプ信号Ｒａｍｐ−ｕｐのセットアップ電圧Ｖｓｅｔｕｐを示す。
【００６４】
図１０に示すように、本発明の第３及び第４実施形態に係るＰＤＰの初期化制御方法は、ＡＰＬによって少なくとも一部サブフィールドで上昇ランプ信号Ｒａｍｐ−ｕｐのセットアップ電圧Ｖｓｅｔｕｐが点線で示すように１００Ｖ〜２００Ｖ間で可変的に設定される。セットアップ電圧Ｖｓｅｔｕｐが点線のように低く設定されると、その分上昇ランプ信号Ｒａｍｐ−ｕｐによる書き込み放電が弱く発生してブラック輝度を低めることができる。
【００６５】
（５）第５実施形態
本発明の第５実施形態に係るＰＤＰの初期化制御方法は、ＡＰＬが低いほど、上昇ランプ信号Ｒａｍｐ−ｕｐが省略されるサブフィールドの個数を多くするか、少なくとも一部サブフィールドで上昇ランプ信号Ｒａｍｐ−ｕｐのセットアップ電圧Ｖｓｅｔｕｐを低く設定する。また、本発明の第５実施形態に係るＰＤＰの初期化制御方法は、ＡＰＬが高いほど、上昇ランプ信号Ｒａｍｐ−ｕｐが省略されるサブフィールドの個数を少なくするか、少なくとも一部サブフィールドで上昇ランプ信号Ｒａｍｐ−ｕｐのセットアップ電圧Ｖｓｅｔｕｐを高く設定する。
【００６６】
次の表５と図１１は、サブフィールド８個で最大１０２４階調まで表現できるサブフィールドパターンを仮定し、本発明の第５実施形態に係るＰＤＰの初期化制御方法において上昇ランプ信号Ｒａｍｐ−ｕｐの省略可否とセットアップ電圧Ｖｓｅｔｕｐを示す。
【００６７】
【表５】
2005148746.tif 000007
【００６８】
表５において、‘あり'は上昇ランプ信号Ｒａｍｐ−ｕｐが省略されないサブフィールド、即ち上昇ランプ信号Ｒａｍｐ−ｕｐありを意味する。このサブフィールドでは正常な２１０Ｖセットアップ電圧Ｖｓｅｔｕｐの上昇ランプ信号Ｒａｍｐ−ｕｐが印加される。‘なし'は上昇ランプ信号Ｒａｍｐ−ｕｐが省略されるか、セットアップ電圧Ｖｓｅｔｕｐが１４０Ｖに低く設定される上昇ランプ信号Ｒａｍｐ−ｕｐが印加されるサブフィールドを意味する。
【００６９】
第１サブフィールドＳＦ１では２１０Ｖセットアップ電圧の上昇ランプ信号Ｒａｍｐ−ｕｐで初期化のための書き込み放電が発生する。この第１サブフィールドＳＦ１を除いた他のサブフィールドＳＦ２〜ＳＦ８では、ＡＰＬによって上昇ランプ信号Ｒａｍｐ−ｕｐが省略されるか、上昇ランプ信号Ｒａｍｐ−ｕｐのセットアップ電圧Ｖｓｅｔｕｐが変わる。ＡＰＬが低い時、すなわち暗い画面でブラック輝度の低くなるようにＡＰＬが低い値に算出されると、第２〜第８サブフィールドＳＦ２〜ＳＦ８の少なくとも一部には上昇ランプ信号Ｒａｍｐ−ｕｐが省略されるか、低いセットアップ電圧Ｖｓｅｔｕｐの上昇ランプ信号Ｒａｍｐ−ｕｐが印加される。
【００７０】
表５と図１１に示すように、ＡＰＬが第１ＡＰＬ群ＡＰＬ１に算出されると、第２〜第８サブフィールドＳＦ２〜ＳＦ８には１００Ｖのセットアップ電圧Ｖｓｅｔｕｐの上昇ランプ信号Ｒａｍｐ−ｕｐが印加される。ＡＰＬが第２ＡＰＬ群ＡＰＬ２に算出されると、第２〜第８サブフィールドＳＦ２〜ＳＦ８には１２０Ｖのセットアップ電圧Ｖｓｅｔｕｐの上昇ランプ信号Ｒａｍｐ−ｕｐが印加される。ＡＰＬが第３ＡＰＬ群ＡＰＬ３に算出されると、第２〜第８サブフィールドＳＦ２〜ＳＦ８には上昇ランプ信号Ｒａｍｐ−ｕｐが省略されるか、１４０Ｖのセットアップ電圧Ｖｓｅｔｕｐの上昇ランプ信号Ｒａｍｐ−ｕｐが印加される。ＡＰＬが第４ＡＰＬ群ＡＰＬ４に算出されると、第１及び第２サブフィールドＳＦ１、ＳＦ２には２１０Ｖのセットアップ電圧Ｖｓｅｔｕｐの上昇ランプ信号Ｒａｍｐ−ｕｐが印加され、第３〜第８サブフィールドＳＦ３〜ＳＦ８には上昇ランプ信号Ｒａｍｐ−ｕｐが省略されるか、１４０Ｖのセットアップ電圧Ｖｓｅｔｕｐの上昇ランプ信号Ｒａｍｐ−ｕｐが印加される。ＡＰＬが第５ＡＰＬ群ＡＰＬ５に算出されると、第１〜第３サブフィールドＳＦ１〜ＳＦ３には２１０Ｖのセットアップ電圧Ｖｓｅｔｕｐの上昇ランプ信号Ｒａｍｐ−ｕｐが印加され、第４〜第８サブフィールドＳＦ４〜ＳＦ８には上昇ランプ信号Ｒａｍｐ−ｕｐが省略されるか、１４０Ｖのセットアップ電圧Ｖｓｅｔｕｐの上昇ランプ信号Ｒａｍｐ−ｕｐが印加される。
【００７１】
このように、ＡＰＬが高いほど、上昇ランプ信号Ｒａｍｐ−ｕｐが省略されるサブフィールドの個数が減るか、低いセットアップ電圧Ｖｓｅｔｕｐの上昇ランプ信号Ｒａｍｐ−ｕｐが印加されるサブフィールドの個数が減る。すなわち、画面が明るくなるとともにＡＰＬが第７ＡＰＬ群ＡＰＬ７に算出されると、第１〜第５サブフィールドＳＦ１〜ＳＦ５には２１０Ｖのセットアップ電圧Ｖｓｅｔｕｐの上昇ランプ信号Ｒａｍｐ−ｕｐが印加され、第６〜第８サブフィールドＳＦ６〜ＳＦ８には上昇ランプ信号Ｒａｍｐ−ｕｐが省略されるか、１４０Ｖのセットアップ電圧Ｖｓｅｔｕｐの上昇ランプ信号Ｒａｍｐ−ｕｐが印加される。また、ＡＰＬが第８ＡＰＬ群ＡＰＬ８に算出されると、第１〜第６サブフィールドＳＦ１〜ＳＦ６には２１０Ｖのセットアップ電圧Ｖｓｅｔｕｐの上昇ランプ信号Ｒａｍｐ−ｕｐが印加され、第７及び第８サブフィールドＳＦ７、ＳＦ８には上昇ランプ信号Ｒａｍｐ−ｕｐが省略されるか、１４０Ｖのセットアップ電圧Ｖｓｅｔｕｐの上昇ランプ信号Ｒａｍｐ−ｕｐが印加される。
【００７２】
本発明の第５実施形態に係るＰＤＰの初期化制御方法の他の例は、表６のようにＡＰＬが低いほど、上昇ランプ信号Ｒａｍｐ−ｕｐが省略されるサブフィールドの個数を多くし、ＡＰＬが高い時、少なくとも一部サブフィールドで上昇ランプ信号Ｒａｍｐ−ｕｐのセットアップ電圧Ｖｓｅｔｕｐが低く設定される。
【００７３】
【表６】
2005148746.tif 000008
【００７４】
（６）第６実施形態
本発明の第６実施形態に係るＰＤＰの初期化制御方法は、ＡＰＬが低いほど又はＡＰＬが高いほど、上昇ランプ信号Ｒａｍｐ−ｕｐが省略されるか、上昇ランプ信号Ｒａｍｐ−ｕｐのセットアップ電圧Ｖｓｅｔｕｐが低く設定される。
【００７５】
次の表７と図１２は、サブフィールド８個で最大１０２４階調まで表現できるサブフィールドパターンを仮定し、本発明の第６実施形態に係るＰＤＰの初期化制御方法において上昇ランプ信号Ｒａｍｐ−ｕｐの省略可否とセットアップ電圧Ｖｓｅｔｕｐを示す。
【００７６】
【表７】
2005148746.tif 000009
【００７７】
第１サブフィールドＳＦ１はフレームがスタートするサブフィールドであって初期化を最も安定化させる必要がある。このために第１サブフィールドＳＦ１では、ＡＰＬにかかわらず１８０Ｖ〜２４０Ｖ間の電圧、好ましくは２１０Ｖセットアップ電圧の上昇ランプ信号Ｒａｍｐ−ｕｐで初期化のための書き込み放電を発生させる。この第１サブフィールドＳＦ１を除いた他のサブフィールドＳＦ２〜ＳＦ８では、ＡＰＬが低い時とＡＰＬが高い時、上昇ランプ信号Ｒａｍｐ−ｕｐが省略されるサブフィールドの個数が増加するか、セットアップ電圧Ｖｓｅｔｕｐが低く設定される。
【００７８】
表７と図１２に示すように、ＡＰＬが第１ＡＰＬ群ＡＰＬ１に算出されると、第２〜第８サブフィールドＳＦ２〜ＳＦ８におけるセットアップ電圧Ｖｓｅｔｕｐは１００Ｖに低く設定される。ＡＰＬが第２ＡＰＬ群ＡＰＬ２に算出されると、第２〜第８サブフィールドＳＦ２〜ＳＦ８におけるセットアップ電圧Ｖｓｅｔｕｐは１２０Ｖに設定される。ＡＰＬが第３ＡＰＬ群ＡＰＬ３に算出されると、第２〜第８サブフィールドＳＦ２〜ＳＦ８には上昇ランプ信号Ｒａｍｐ−ｕｐが省略されるか、１４０Ｖのセットアップ電圧Ｖｓｅｔｕｐの上昇ランプ信号Ｒａｍｐ−ｕｐが印加される。
【００７９】
ＡＰＬが第４ＡＰＬ群ＡＰＬ４に算出されると、第１及び第２サブフィールドＳＦ１、ＳＦ２には２１０Ｖのセットアップ電圧Ｖｓｅｔｕｐの上昇ランプ信号Ｒａｍｐ−ｕｐが印加され、第３〜第８サブフィールドＳＦ３〜ＳＦ８には上昇ランプ信号Ｒａｍｐ−ｕｐが省略されるか、１４０Ｖのセットアップ電圧Ｖｓｅｔｕｐの上昇ランプ信号Ｒａｍｐ−ｕｐが印加される。ＡＰＬが第５ＡＰＬ群ＡＰＬ５に算出されると、第１〜第３サブフィールドＳＦ１〜ＳＦ３には２１０Ｖのセットアップ電圧Ｖｓｅｔｕｐの上昇ランプ信号Ｒａｍｐ−ｕｐが印加され、第４〜第８サブフィールドＳＦ４〜ＳＦ８には上昇ランプ信号Ｒａｍｐ−ｕｐが省略されるか、１４０Ｖのセットアップ電圧Ｖｓｅｔｕｐの上昇ランプ信号Ｒａｍｐ−ｕｐが印加される。
【００８０】
ＡＰＬが第６ＡＰＬ群ＡＰＬ６以上に高くなると、上昇ランプ信号Ｒａｍｐ−ｕｐが省略されるサブフィールドの個数が増えるか、セットアップ電圧が低くなる。すなわち、画面が明るくなるとともにＡＰＬが第６ＡＰＬ群ＡＰＬ６に算出されると、第１及び第２サブフィールドＳＦ１、ＳＦ２には２１０Ｖのセットアップ電圧Ｖｓｅｔｕｐの上昇ランプ信号Ｒａｍｐ−ｕｐが印加され、第３〜第８サブフィールドＳＦ３〜ＳＦ８には上昇ランプ信号Ｒａｍｐ−ｕｐが省略されるか、１４０Ｖのセットアップ電圧Ｖｓｅｔｕｐの上昇ランプ信号Ｒａｍｐ−ｕｐが印加される。
【００８１】
ＡＰＬが第７ＡＰＬ群ＡＰＬ７に算出されると、第１サブフィールドＳＦ１には２１０Ｖのセットアップ電圧Ｖｓｅｔｕｐの上昇ランプ信号Ｒａｍｐ−ｕｐが印加され、第２〜第８サブフィールドＳＦ２〜ＳＦ８には１２０Ｖのセットアップ電圧Ｖｓｅｔｕｐの上昇ランプ信号Ｒａｍｐ−ｕｐが印加される。また、ＡＰＬが第８ＡＰＬ群ＡＰＬ８に算出されると、第１サブフィールドＳＦ１には２１０Ｖのセットアップ電圧Ｖｓｅｔｕｐの上昇ランプ信号Ｒａｍｐ−ｕｐが印加され、第２〜第８サブフィールドＳＦ２〜ＳＦ８には１００Ｖのセットアップ電圧Ｖｓｅｔｕｐの上昇ランプ信号Ｒａｍｐ−ｕｐが印加される。
【００８２】
図１３及び図１４は、本発明のＰＤＰの初期化制御装置を示す図である。
【００８３】
図１３及び図１４を参照すれば、本発明の実施形態に係るＰＤＰの初期化制御装置は、第１逆ガンマ補正部１Ａとデータ整列部５との間に接続されたゲイン調整部２、誤差拡散部３及びサブフィールドマッピング部４と、第２逆ガンマ補正部１Ｂと波形発生部７との間に接続されたＡＰＬ算出部６と、を備える。
【００８４】
第１及び第２逆ガンマ補正部１Ａ、１Ｂは、入力ライン１０からのデジタルビデオデータＲＧＢを逆ガンマ補正して映像信号の階調値に対する輝度を線形的に変換させる。
【００８５】
ゲイン調整部２は、赤色、緑色及び青色の各データ別に有効利得を調整して色温度を補償する。
【００８６】
誤差拡散部３は、ゲイン調整部２から入力されるデジタルビデオデータの量子化誤差を隣接したセルに拡散させることにより、輝度値を微細に調整する。このために、誤差拡散部３はデータを整数部と小数部に分けて小数部にフロイド・シュタインベルグ（Floyd-Steinberg）係数をかける。
【００８７】
サブフィールドマッピング部４は、誤差拡散部３から入力されたデータを各ビット別に予め保存されたサブフィールドパターンにマッピングし、そのマッピングデータをデータ整列部５に供給する。
【００８８】
データ整列部５は、サブフィールドマッピング部４から入力されるデジタルビデオデータをＰＤＰ８のデータ駆動部１０２に供給する。データ駆動部１０２は、ＰＤＰ８のアドレス電極Ｘ１〜Ｘｍに接続され、データ整列部５から入力されるデータを１水平ライン分ずつラッチした後、ラッチされたデータを１水平期間単位でアドレス電極Ｘ１〜Ｘｍに供給する。
【００８９】
ＡＰＬ算出部６は、第２逆ガンマ補正部１Ｂから入力されるデジタルビデオデータに対して１画面単位でＡＰＬを算出し、算出されたＡＰＬに対応するサステインパルス数データNｓｕｓを出力する。また、ＡＰＬ算出部６は、算出されたＡＰＬが含まれるＡＰＬ群の識別データＡＰＬ#を出力する。このために、ＡＰＬ算出部６は、図１５のようにＡＰＬに対応するサステインパルス数データNｓｕｓが搭載されたルックアップテーブルを検索し、サステインパルス数データＮｓｕｓとＡＰＬ群の識別データＡＰＬ#を読み出す。
【００９０】
波形発生部７は、図１４のようにタイミングコントローラ１０１、駆動電圧発生部１０５、スキャン駆動部１０３及びサステイン駆動部１０４を備える。
【００９１】
タイミングコントローラ１０１は、垂直／水平同期信号Ｈ、Ｖとクロック信号ＣＬＫを利用して各駆動部１０２、１０３、１０４に必要なタイミング制御信号Ｃｘ、Ｃｙ、Ｃｚを発生させ、そのタイミング制御信号Ｃｘ、Ｃｙ、Ｃｚを当該駆動部１０２、１０３、１０４に供給することにより、各駆動部１０２、１０３、１０４を制御する。
【００９２】
データ制御信号Ｃｘには、データをサンプリングするためのサンプリングクロック、ラッチ制御信号、エネルギー回収回路と駆動スィッチ素子のオン／オフタイムを制御するためのスィッチ制御信号が含まれる。スキャン制御信号Ｃｙには、スキャン駆動部１０３内のエネルギー回収回路と駆動スィッチ素子のオン／オフタイムを制御するためのスィッチ制御信号が含まれる。サステイン制御信号Ｃｚには、サステイン駆動部１０４内のエネルギー回収回路と駆動スィッチ素子のオン／オフタイムを制御するためのスィッチ制御信号が含まれる
タイミングコントローラ１０１は、サステインパルス数データNｓｕｓによってスキャン制御信号Ｃｙとサステイン制御信号Ｃｚを調整することにより、ＡＰＬによってサステインパルス数を制御し、ＡＰＬ群識別データＡＰＬ#に応答して、前述した実施形態のように上昇ランプ信号Ｒａｍｐ−ｕｐを省略するか、そのセットアップ電圧Ｖｓｅｔｕｐを調整する。
【００９３】
スキャン駆動部１０３は、タイミングコントローラ１０１の制御下でスキャン電極Ｙ１〜Ｙｍに対し、リセット期間中に上昇ランプ信号Ｒａｍｐ−ｕｐと降下ランプ信号Ｒａｍｐ−ｄｎを供給し、アドレス期間中にスキャンパルスｓｃａｎを順次供給する。また、スキャン駆動部１０３は、タイミングコントローラ１０１の制御下でスキャン電極Ｙ１〜Ｙｎにサステイン期間中にサステインパルスｓｕｓ１、ｓｕｓ３、ｓｕｓ５を供給する。特に、スキャン駆動部１０３は、タイミングコントローラ１０１の制御下で前述した実施形態のようにＡＰＬによって選択的に少なくとも一部サブフィールドで上昇ランプ信号Ｒａｍｐ−ｕｐを省略するか、上昇ランプ信号Ｒａｍｐ−ｕｐのセットアップ電圧Ｖｓｅｔｕｐ１〜Ｖｓｅｔｕｐｎを調整する。
【００９４】
サステイン駆動部１０４は、タイミングコントローラ１０１の制御下でアドレス期間中に直流バイアス電圧Ｖｚ−ｂｉａｓを供給した後、サステイン期間中にスキャン駆動部１０３と交互に動作してサステインパルスｓｕｓ２、ｓｕｓ４、ｓｕｓ６を供給する。
【００９５】
駆動電圧発生部１０５は、上昇ランプ信号Ｒｕｙ、Ｒｕｚのセットアップ電圧Ｖｓｅｔｕｐ１〜Ｖｓｅｔｕｐｎ、スキャン電圧で設定される負極性のスキャンバイアス電圧−Ｖｙ、直流バイアス電圧（Ｖｙ−ｂｉａｓ、Ｖｚ−ｂｉａｓ）、サステイン電圧Ｖs、データ電圧Ｖｄなどを発生させる。このような駆動電圧は放電ガスの組成や放電セル構造によって変わることができる。
【００９６】
上述したように、本発明に係るＰＤＰの初期化制御方法及び装置は、ＡＰＬが基準値より低い時及び／または高い時、上昇ランプ信号を省略するか、そのセットアップ電圧を低下させる。その結果、本発明は、初期化放電数を減らすか、初期化放電を弱くして放電時に伴わう光放出量を減らすことにより、ブラック輝度を低めてコントラスト比を向上させ且つリセット期間を減らすことができる。
【００９７】
一方、本発明は、ＡＰＬによって上昇ランプ波形の数やそのセットアップ電圧を調節することを中心として実施形態を説明したが、上昇ランプ波形の勾配をＡＰＬによって制御するか、降下ランプ波形の数や電圧をＡＰＬによって制御することもできる。
【図面の簡単な説明】
【００９８】
【図１】従来のプラズマディスプレイパネルを概略的に示す平面図である。
【図２】図１に示したセルの構造を詳しく示す斜視図である。
【図３】１フレーム期間を複数のサブフィールドに時分割したサブフィールドパターンを示す図である。
【図４】図１のようなプラズマディスプレイパネルを駆動するための従来の駆動信号を示す波形図である。
【図５】本発明の第１実施形態に係るプラズマディスプレイパネルの初期化制御方法の制御手順を段階的に示す流れ図である。
【図６】本発明の第２実施形態に係るプラズマディスプレイパネルの初期化制御方法の制御手順を段階的に示す流れ図である。
【図７】本発明の第１及び第２実施形態に係るプラズマディスプレイパネルの初期化制御方法において上昇ランプ波形が省略されるサブフィールドの駆動信号を示す波形図である。
【図８】本発明の第３実施形態に係るプラズマディスプレイパネルの初期化制御方法の制御手順を段階的に示す流れ図である。
【図９】本発明の第４実施形態に係るプラズマディスプレイパネルの初期化制御方法の制御手順を段階的に示す流れ図である。
【図１０】本発明の第３及び第４実施形態に係るプラズマディスプレイパネルの初期化制御方法において上昇ランプ波形のセットアップ電圧が平均明るさによって変わることを示す波形図である。
【図１１】本発明の第５実施形態に係るプラズマディスプレイパネルの初期化制御方法の制御手順を段階的に示す流れ図である。
【図１２】本発明の第６実施形態に係るプラズマディスプレイパネルの初期化制御方法の制御手順を段階的に示す流れ図である。
【図１３】本発明の実施形態に係るプラズマディスプレイパネルの初期化制御装置を示すブロック図である。
【図１４】図１３の波形発生部を詳しく示すブロック図である。
【図１５】図１３に示したＡＰＬ算出部で算出されるＡＰＬとそれによるサステインパルス数とを示すグラフである。
【図１】
2005148746.tif 000010
【図２】
2005148746.tif 000011
【図３】
2005148746.tif 000012
【図４】
2005148746.tif 000013
【図５】
2005148746.tif 000014
【図６】
2005148746.tif 000015
【図７】
2005148746.tif 000016
【図８】
2005148746.tif 000017
【図９】
2005148746.tif 000018
【図１０】
2005148746.tif 000019
【図１１】
2005148746.tif 000020
【図１２】
2005148746.tif 000021
【図１３】
2005148746.tif 000022
【図１４】
2005148746.tif 000023
【図１５】
2005148746.tif 000024